(57)【要約】【課題】  ろ板の開閉に連動して自動的にろ布を昇降するとともに、ろ布交換の際にろ布を所定の位置で交換できるろ布走行型フィルタープレスにおけるろ布の吊設装置を提供する。【解決手段】  ろ板の開閉板に応じて伸縮自在に変動する水平パンタグラフを隣接するろ板間に形成し、水平パンタグラフに垂直パンタグラフを連結し、水平パンタグラフの伸縮に応じてろ布を昇降させるので、ろ布を昇降させる特別な動力源が不要で脱水工程以外の雑時間が短縮できる。また、開板直後にろ布が若干上昇した後に降下し始める構成であるので、ろ布の交換時には容易にろ布に挟持している原液供給板を所定の位置に設定することが可能となる。【選択図】      図８
2015150514.tif 000002
【特許請求の範囲】
【請求項１】
複数のろ板（５…）を並列してろ板（５，５）間にろ過室（７）を形成し、ろ過室（７）にそれぞれの上縁部が連結された一対のろ布（２０，２０）を昇降自在に吊設するフィルタープレス（１）において、
下端縁に下部ろ布芯金（２４）を挿通し、ろ板（５）の原液供給口（１８）と連通する原液通路（２７）を有する原液供給板（２５）を挟持するろ布（２０）と、
ろ板（５）の上方で隣接するろ板（５，５）を連結し、連結部に滑車（１３）を軸着するろ板リンク（１１）と、
一端をろ布（２０）上端に連結し、ろ板（５）に設けた滑車（１３）とリターンロール（１６）に掛け回して他端を下部ろ布芯金（２４）に連結する連結ロープ（２９）と、
ろ板（５）の両端上部に立設する上部ブラケット（９，９）に橋架するヘッドバー（１４）と、
隣接するろ板（５，５）のヘッドバー（１４，１４）を連結し、ろ板（５）の上面と平行に伸縮自在に構成する水平パンタグラフ（３１）と、
上端を水平パンタグラフ（３１）に連結し、下端をろ布（２０）上端縁に連結し、ろ板（５）のろ過床（５ａ）と平行に伸縮自在に構成した垂直パンタグラフ（３３）と、
を備えた
ことを特徴とするろ布走行型フィルタープレスにおけるろ布の吊設装置。
【請求項２】
前記ヘッドバー（１４）に一対のヘッドピン（３０，３０）を挿通し、
ヘッドピン（３０）に水平パンタグラフ（３１）を回動自在に固定し、
隣接するろ板（５，５）の水平パンタグラフ（３１，３１）をそれぞれ連結バー（３２，３２）で摺動自在に連結するとともに、
ろ板（５）の閉板時に水平パンタグラフ（３１）の中央部を凹状に形成させる
ことを特徴とする請求項１に記載のろ布走行型フィルタープレスにおけるろ布の吊設装置。
【請求項３】
前記垂直パンタグラフ（３３）の上端を連結バー（３２）に設けた連結具（３４）に接続するとともに、
垂直パンタグラフ（３３）の下端を下部バー（３５）に形成した長穴に接続し、
下部バー（３５）と上部ろ布芯金（２２）を連結する
ことを特徴とする請求項２に記載のろ布走行型フィルタープレスにおけるろ布の吊設装置。
【発明の詳細な説明】
【技術分野】
【０００１】
本発明は、ろ布を上下に昇降させて脱水ケーキを剥離するフィルタープレスにおいて、ろ板の開閉板に連動して無動力でろ布の昇降を行うろ布走行型フィルタープレスにおけるろ布の吊設装置に関する。
【背景技術】
【０００２】
フィルタープレスは、開閉自在に並列したろ板間に一対のろ布を吊設し、ろ布に止着した原液供給板からろ布間のろ過室に原液を圧入してろ布で固液分離を行っている。固液分離後、ろ過室に残留してろ布に固着した脱水ケーキを剥離する方法として様々な技術が用いられている。
【０００３】
引用文献１には、上端縁を合着した一対のろ布をスライドシャフトに連結した正逆回転自在なスプロケットに吊るし、それぞれの下縁端をろ板下方に設けたロールに掛け回したフィルタープレスにおいて、スライドシャフトを回転させることでろ布を降下しつつロールで反転させて脱水ケーキを剥離する装置が開示されている。
【０００４】
また、特許文献２には、上端縁を合着した一対のろ布を支持部材に吊るすとともに、それぞれの下縁端を左右のろ板の下部に設けたローラーに掛け回して紐状の連結具で連結したフィルタープレスにおいて、ろ板の開閉に連動してろ布が自動的に昇降し、ローラーで脱水ケーキを剥離する装置が開示されている。
【先行技術文献】
【特許文献】
【０００５】
【特許文献１】特許第５３３３９４５号公報（図６乃至図８）
【特許文献２】特公昭５５−３７９２９号公報
【発明の概要】
【発明が解決しようとする課題】
【０００６】
引用文献１の装置は、ろ板下方のロールでろ布を反転させることによってろ布に付着している脱水ケーキを剥離するものであるが、ろ布を昇降させるための動力源が別途必要であり、その動力源と昇降装置との連結装置も必要であり構造が複雑となる。また、ろ板を開板した後にろ布を降下させるので、ろ過以外の雑時間が長くなる。
【０００７】
引用文献２の装置は、ろ板の開板に連動してろ布が自動的に降下するため、ろ布を昇降させる動力源が不要となり、ろ過以外の雑時間が短縮できる。しかし、この装置ではろ布の昇降範囲は純粋にろ板の開閉距離に比例している。具体的には、ろ布の下端縁に接続して掛け回している紐状の連結具を合わせたろ布の全長を満たすだけのろ板開閉距離がなければ、ろ布は十分に昇降することができない。一般的にフィルタープレスは処理量を増大させるために多くのろ板を並列して多段にろ過室を配設している。そのために全長が長くなり設置スペースが大きくなる。したがって、ろ板開板距離を大きくするとフィルタープレスの設置面積が益々大きくなるので、少ないろ板の開板距離でろ布を昇降させて脱水ケーキを剥離することが課題となっている。
【０００８】
また、ろ布は消耗品であるため、所定回数あるいは所定時間使用すると交換が必要となる。その際、ろ布を交換するためにろ板を開板すると、ろ板の動きに連動してろ布が降下することとなる。ろ布が降下した状態でろ布を交換すると、ろ板を閉板した時に原液をろ過室に供給するための原液供給板の位置（高さ）がずれる場合がある。原液供給板の位置がずれた状態で閉板すると、ろ過室へ原液を圧入供給できないだけでなく、原液供給板あるいはろ板のろ過床が損傷することもある。したがって、ろ布を交換する場合、ろ布を上昇した状態で交換し、交換したろ布の原液供給板がろ過床の凹部と合致していることを目視できる状態が望ましい。
【０００９】
本発明は、ろ板の開閉に連動して自動的に昇降するとともに、ろ布交換の際にろ布を所定の位置で交換できるろ布走行型フィルタープレスにおけるろ布の吊設装置を提供する。
【課題を解決するための手段】
【００１０】
本発明の要旨は、複数のろ板を並列してろ板間にろ過室を形成し、ろ過室にそれぞれの上縁部が連結された一対のろ布を昇降自在に吊設するフィルタープレスにおいて、下端縁に下部ろ布芯金を挿通し、ろ板の原液供給口と連通する原液通路を有する原液供給板を挟持するろ布と、ろ板の上方で隣接するろ板を連結し、連結部に滑車を軸着するろ板リンクと、一端をろ布上端に連結し、ろ板に設けた滑車とリターンロールに掛け回して他端を下部ろ布芯金に連結する連結ロープと、ろ板の両端上部に立設する上部ブラケットに橋架するヘッドバーと、隣接するろ板のヘッドバーを連結し、ろ板の上面と平行に伸縮自在に構成する水平パンタグラフと、上端を水平パンタグラフに連結し、下端をろ布上端縁に連結し、ろ板のろ過床と平行に伸縮自在に構成した垂直パンタグラフとを備えたもので、ろ板の開閉動作にリンクして無動力でろ布を昇降させることができる。したがって、ろ布を昇降させる特別な動力源が不要で脱水工程以外の雑時間が短縮できる。
【００１１】
また、ヘッドバーに一対のヘッドピンを挿通し、ヘッドピンに水平パンタグラフを回動自在に固定し、隣接するろ板の水平パンタグラフをそれぞれ連結バーで摺動自在に連結するとともに、ろ板の閉板時に水平パンタグラフの中央部を凹状に形成させるので、ろ布交換時にろ板を開板している状態でも、容易に原液供給板を所定の位置に設定することが可能となる。
【００１２】
さらに、垂直パンタグラフの上端を連結バーに設けた連結具に接続するとともに、垂直パンタグラフの下端を下部バーに形成した長穴に接続し、下部バーと上部ろ布芯金を連結するので、ろ板の僅かな開閉でも大きな昇降範囲を設定でき、フィルタープレスの全長を抑えることができる。
【発明の効果】
【００１３】
本発明に係るフィルタープレスは、ろ板の開閉動作にリンクして無動力でろ布が昇降するので脱水工程以外の雑時間が短縮できる。ろ布昇降高さがろ板の開閉と常時リンクしているので、ろ布の位置検出器等が不要である。リンク機構の構成を工夫することで、ろ板の僅かな開閉でも大きな昇降範囲を設定でき、フィルタープレスの全長を抑えることができる。したがって、多室同時開板にも対応可能となる。また、開板直後にろ布が若干上昇した後に降下し始める構成であるので、ろ布の交換時には容易にろ布に挟持している原液供給板を所定の位置に設定することが可能となる。
【図面の簡単な説明】
【００１４】
【図１】本発明に係るフィルタープレスの側面図である。
【図２】同じく、ろ布を吊設するろ板組品の正面図である。
【図３】同じく、ろ板間に吊設する一対のろ布の斜視図である。
【図４】同じく、ろ板間に一対のろ布を吊設するフィルタープレスの要部側面図である。
【図５】同じく、昇降装置の平面図である。
【図６】同じく、昇降装置の要部側断面図である。
【図７】同じく、昇降装置の正面図である。
【図８】同じく、閉板状態のろ板に取り付けている昇降装置の説明図である。
【図９】同じく、開板直後の状態のろ板に取り付けている昇降装置の説明図である。
【図１０】同じく、さらに開板した状態のろ板に取り付けている昇降装置の説明図である。
【図１１】同じく、開板終了状態のろ板に取り付けている昇降装置の説明図である。
【発明を実施するための形態】
【００１５】
図１は本発明に係るフィルタープレスの側面図である。フィルタープレス１はフロントフレーム２とリアーフレーム３に橋架したガイドレール４上に多数のろ板５…を移動自在に支架している。フロントフレーム２に設けた開閉装置６でろ板５をリアーフレーム３の方向に移動させることによって、隣接するろ板５，５間に形成したろ過室７を開閉する。
【００１６】
図２はろ布を吊設するろ板組品の正面図であって、フロントフレーム２とリアーフレーム３に橋架した一対のガイドレール４，４にろ板５のろ板アーム８，８を支架している。
ろ板５の両端上部に上部ブラケット９，９を立設している。上部ブラケット９にはろ板リンク支え１０を突設し、ろ板リンク支え１０に一対のろ板リンク１１，１１を回動自在に取り付けている。ろ板リンク１１はそれぞれ隣接するろ板５に配設しているろ板リンク１１と連結しており、連結部にろ板リンク棒１２を挿通している。ろ板リンク棒１２の端部に滑車１３，１３を軸着している。上部ブラケット９，９の上端にはヘッドバー１４を橋架している。
【００１７】
ろ板５の両端下部に垂下した下部ブラケット１５，１５に一対のリターンロール１６，１６を橋架しており、リターンロール１６の下方近傍に洗浄パイプ１７を配設している。ろ板５の中央部にろ過床５ａを形成して、上方中央部に原液供給口１８と下部両端にろ液排出口１９を開口している。
【００１８】
図３はろ板間に吊設する一対のろ布の斜視図であって、ろ板５、５間に吊設するろ布２０は、一対のろ布２０，２０の上端縁を合着して袋部２１を形成し、上部ろ布芯金２２を挿通している。ろ布２０の下端縁にもそれぞれ袋部２３を形成して下部ろ布芯金２４を挿通している。一対のろ布２０，２０間に原液供給板２５を挟持して、ろ布２０の上方中央部に開口した通孔２６に原液供給板２５の原液通路２７を合着させ、原液供給板２５の原液通路２７から分岐してろ布２０のろ過面に原液を供給する給液路２８を設けている。
【００１９】
図４はろ板間に一対のろ布を吊設するフィルタープレスの要部側面図であって、並列したろ板５…間に一対のろ布２０，２０を配設しており、一対のろ布２０，２０を吊設する上部ろ布芯金２２の両端部に連結ロープ２９の一端を連結し、ろ板リンク棒１２に軸設した滑車１３，１３にそれぞれ掛け回している。ろ板５の前後に吊設したろ布２０の下端部をろ板５の下方に配設した一対のリターンロール１６，１６にそれぞれ掛け回して、ろ布２０の下端に挿通した下部ろ布芯金２４の両端部を連結ロープ２９の他端に連結してろ布２０を吊設している。ろ布２０の昇降に応じてろ布２０の一部および連結ロープ２９がリターンロール１６と滑車１３を周動する。なお、連結ロープ２９は紐、チェーン等の可撓性を有する公知の部品を用いることができる。
【００２０】
並列したろ板５…を閉板した時に、ろ布２０に吊設した原液供給板２５を前後のろ板５，５に挟持させ、ろ板５のろ過床５ａに張設した一対のろ布２０，２０間にろ過室７を形成する。ろ板５，５に形成した原液供給口１８と原液供給板２５の原液通路２７を連通させて、原液供給板２５の給液路２８からろ過室７に原液を圧入し、ろ布２０のろ過面で固液分離を行う。
【００２１】
図５は昇降装置の平面図であって、ろ板５の上方に橋架しているヘッドバー１４に一対のヘッドピン３０，３０を挿通し、それぞれのヘッドピン３０，３０に水平パンタグラフ３１，３１を回動自在に固定している。水平パンタグラフ３１はろ板５の上面と平行に設置する。隣接するろ板５，５の水平パンタグラフ３１，３１をそれぞれ連結バー３２で摺動自在に連結するとろ板５の開閉に応じて水平パンタグラフ３１が凹凸状に伸縮自在に変動し、連結バー３２，３２間の距離が変位する。連結バー３２の中央部には垂直パンタグラフ３３を垂設する連結具３４を設けている。
【００２２】
図６は昇降装置の要部側断面図であって、ヘッドバー１４に設けたヘッドピン３０に水平パンタグラフ３１を固定し、隣接するろ板５，５の水平パンタグラフ３１，３１をそれぞれ連結バー３２で摺動自在に連結している。また、上部ブラケット９に取り付けているろ板リンク１１を隣接するろ板リンク１１と回動自在に固定している。それぞれのろ板リンク１１、１１は同じ長さであるため、ろ板５が開板した際にはろ板リンク１１，１１同士の結合部が各ろ板５…の中間に位置する。したがって、ろ板リンク１１の結合部に取り付けている滑車１３は常時隣接するろ板５，５の中間部に位置しているため、ろ布２０に掛け回している連結ロープ２９はろ板５と干渉しない。
【００２３】
図７は昇降装置の正面図であって、連結バー３２の中央部に連結具３４を設け、ろ板５のろ過床５ａと平行に垂直パンタグラフ３３を伸縮自在に垂設している。垂直パンタグラフ３３の下端は下部バー３５に形成した長穴に接続しており、下部バー３５とろ布２０の上部ろ布芯金２２と連結している。
【００２４】
ろ板５の開閉に応じて連結バー３２，３２間の距離が変位し、その変位量に応じて垂直パンタグラフ３３の伸縮量が変動してろ布２０を上下に昇降させる。ろ布２０の昇降距離に応じて垂直パンタグラフ３３を多段に構成すると、僅かなろ板５の開板距離でも最下段がろ板５の下方まで伸長できる。なお、破線は垂直パンタグラフが折り畳まれてろ布２０が上昇している状態を示している。
【実施例】
【００２５】
図８は閉板状態のろ板に取り付けている昇降装置の説明図であって、ろ板及びろ布の作動状態を詳述する。
【００２６】
（ａ）は概略平面図であって、水平パンタグラフ３１はろ板５の閉板時に中央部が凹状になるようヘッドピン３０の位置、および水平パンタグラフ３１、連結バー３２の長さを設定している。この時、連結バー３２，３２間の距離はＬであり、この距離Ｌに応じて垂直パンタグラフ３３は縮小している。
【００２７】
（ｂ）は概略側断面図であって、原液供給板２５の原液通路２７とろ板５の原液供給口１８とは同じ高さであり、原液供給口１８から供給される原液は原液供給板２５の原液通路２７および給液路２８を経てろ過室７に圧入される。また、連結バー３２の中央部から連結具３４および垂直パンタグラフ３３を介してろ布２０を垂設しているので、ろ布２０は常時ろ板５の中間位置に位置する。
【００２８】
（ｃ）は概略正面図であって、垂直パンタグラフ３３は連結バー３２，３２間の距離Ｌに応じてろ板５を閉板する際に干渉しない位置まで上方に折り畳まれた状態となる。
【００２９】
図９は開板直後の状態のろ板に取り付けている昇降装置の説明図である。
（ａ）は概略平面図であって、水平パンタグラフ３１は直線状になった状態で連結バー３２と接続している。この時、連結バー３２，３２間の距離は最大距離を有し、閉板時と比較してΔｌだけ長くなっている。
【００３０】
（ｂ）は概略側断面図であって、垂直パンタグラフ３３は連結バー３２，３２間の距離Ｌ＋Δｌに応じて垂直パンタグラフ３３が縮小し、ろ布２０が若干上方に上昇した状態となる。ろ布２０，２０間に挟持している原液供給板２５も上昇し、原液供給板２５の原液通路２７とろ板５の原液供給口１８はずれた状態となる。
【００３１】
（ｃ）は概略正面図であって、垂直パンタグラフ３３は連結バー３２，３２間の距離Ｌ＋Δｌに応じてさらに上方に折り畳まれた状態となる。
【００３２】
図１０はさらに開板した状態のろ板に取り付けている昇降装置の説明図である。
（ａ）は概略平面図であって、水平パンタグラフ３１は中央部が凸状になった状態で連結バー３２と接続している。閉板時（図８）と対称となる角度を有しているので、この時、連結バー３２，３２間の距離は閉板時と同じだけの距離Ｌとなる。
【００３３】
（ｂ）は概略側断面図であって、垂直パンタグラフ３３は連結バー３２，３２間の距離Ｌに応じて若干伸長し、原液供給板２５の原液通路２７とろ板５の原液供給口１８とは同じ高さとなる。この時のろ板５，５間の開板距離をろ布２０の交換が可能な距離に設定すれば、目視にて原液供給板２５の原液通路２７とろ板５の原液供給口１８が同じ高さにあることを確認することができるので、確実なろ布交換を行うことができる。
【００３４】
（ｃ）は概略正面図であって、垂直パンタグラフ３３は連結バー３２，３２間の距離Ｌに応じて若干伸長するが、上方に折り畳まれた状態となる。
【００３５】
図１１は開板終了状態のろ板に取り付けている昇降装置の説明図である。
（ａ）は概略平面図であって、水平パンタグラフ３１は中央部が凸状になった状態で連結バー３２と接続している。この時、連結バー３２，３２間の距離は最小距離Ｌｍｉｎとなっている。
【００３６】
（ｂ）は概略側断面図であって、垂直パンタグラフ３３は連結バー３２，３２間の距離Ｌｍｉｎに応じて垂直パンタグラフ３３が伸長し、ろ布２０が下方に下降した状態となる。リターンロール１６で反転する際にろ布２０から脱水ケーキが剥離される。
【００３７】
（ｃ）は概略正面図であって、垂直パンタグラフ３３は連結バー３２，３２間の距離Ｌｍｉｎに応じて最下方まで伸長した状態となる。
【産業上の利用可能性】
【００３８】
本発明に係るフィルタープレスは、ろ板の開閉動作にリンクして無動力でろ布が昇降するので、ろ布を昇降させる特別な動力源が不要で脱水工程以外の雑時間が短縮できる。また、ろ布の交換時には容易に原液供給板を所定の位置に設定することが可能である。さらに、ろ板の開板幅が少なくても大きなろ布の昇降範囲を設定でき、フィルタープレスの全長を抑えることができる。したがって、浄水汚泥、下水汚泥、あるいは産業排水汚泥等の処理において、大容量の原液を処理する大型・他室のフィルタープレスに有効となる。
【符号の説明】
【００３９】
１  フィルタープレス
５  ろ板
７  ろ過室
９  上部ブラケット
１１  ろ板リンク
１３  滑車
１４  ヘッドバー
１６  リターンロール
１８  原液供給口
２０  ろ布
２４  下部ろ布芯金
２５  原液供給板
２７  原液通路
２９  連結ロープ
３０  ヘッドピン
３１  水平パンタグラフ
３２  連結バー
３３  垂直パンタグラフ
３４  連結具
３５  下部バー
【図１】
2015150514.tif 000003
【図２】
2015150514.tif 000004
【図３】
2015150514.tif 000005
【図４】
2015150514.tif 000006
【図５】
2015150514.tif 000007
【図６】
2015150514.tif 000008
【図７】
2015150514.tif 000009
【図８】
2015150514.tif 000010
【図９】
2015150514.tif 000011
【図１０】
2015150514.tif 000012
【図１１】
2015150514.tif 000013